(57)【要約】【課題】姿勢変更式の寝具において、生体信号を精度良く抽出することができる生体信号検出装置の提供。【解決手段】寝具は、検出対象人体を支持する姿勢を変更自在な姿勢変更式であり、寝具における複数の検出対象部位Ｋの夫々に設置してその検出対象部位Ｋにかかる圧力の変動を検出する圧力変動検出センサ２と、寝具の姿勢状態に応じて検出対象部位Ｋ単位での重み付けをした圧力変動検出センサ２の検出信号から生体信号を抽出する生体信号抽出部４とを備えている。【選択図】図２
2008113797.tif 000002
【特許請求の範囲】
【請求項１】
寝具での検出対象人体の生体状態に対応する生体信号を検出する生体信号検出装置であって、
前記寝具は、検出対象人体を支持する姿勢を変更自在な姿勢変更式であり、
前記寝具における複数の検出対象部位の夫々に設置してその検出対象部位にかかる圧力の変動を検出する圧力変動検出センサと、
前記寝具の姿勢状態に応じて前記検出対象部位単位での重み付けをした前記圧力変動検出センサの検出信号から前記生体信号を抽出する生体信号抽出部とを備えている生体信号検出装置。
【請求項２】
前記生体信号抽出部は、前記重み付けとして、前記生体信号の抽出対象とする前記圧力変動検出センサの検出信号を前記寝具の姿勢状態に応じて前記検出対象部位単位で切り換えるように構成してある請求項１に記載の生体信号検出装置。
【請求項３】
前記生体信号抽出部は、各圧力変動検出センサによる検出信号の大小を数値化した検出状態値に対して前記寝具の姿勢状態に応じて前記検出対象部位単位での重み付けをし、その重み付けをした前記検出状態値に基づいて前記生体信号の抽出を行うか否かを判別するように構成してある請求項１又は２に記載の生体信号検出装置。
【請求項４】
前記寝具は、検出対象人体の臀部に相当する部分を支持する着座部位と検出対象人体の背中に相当する部分を支持する背もたれ部位とを備えてあり、
前記検出対象部位は、少なくとも前記着座部位と背もたれ部位とを含むように設定してある請求項１〜３のいずれか１項に記載の生体信号検出装置。
【発明の詳細な説明】
【技術分野】
【０００１】
本発明は、寝具での検出対象人体の生体状態に対応する生体信号を検出する生体信号検出装置に関する。
【背景技術】
【０００２】
上記のような生体信号検出装置は、布団やベッド等の寝具における検出対象人体の呼吸信号や脈拍信号等の生体信号を検出するものである。そして、生体信号検出装置は、寝具に設置して寝具にかかる圧力の変動を検出する圧力変動検出センサと、その圧力変動検出センサの検出信号から生体信号を抽出する生体信号抽出部とを備えている。
検出対象人体の体格や体型、及び、検出対象人体が寝ている位置によって、寝具において圧力がかかる部位が変化するので、圧力変動検出センサにて圧力の変動を的確に検出する為には、確実に圧力がかかる部位に圧力変動検出センサを配置することが求められる。
【０００３】
そこで、従来の生体信号検出装置では、寝具としてのベッドにおいて、検出対象人体の胸部から腹部に亘る部分を支持する部位を検出対象部位と設定し、その検出対象部位において、ベッドの横幅方向及び縦幅方向に間隔を隔てて複数の圧力変動検出センサを配置している（例えば、特許文献１参照。）。
【０００４】
【特許文献１】特開２００４−１１３３４０号公報
【発明の開示】
【発明が解決しようとする課題】
【０００５】
上記従来の生体信号検出装置では、検出対象人体が寝ているときには圧力変動検出センサにて圧力の変動を的確に検出することができ、その圧力変動検出センサの検出信号から生体信号を抽出することができる。しかしながら、寝具としては、寝ている検出対象人体を支持する姿勢だけでなく、上半身を起こした検出対象人体を支持する姿勢等、検出対象人体を支持する姿勢を変更自在な姿勢変更式のものがある。このような姿勢変更式の寝具では、検出対象人体を支持する姿勢を変更したときに圧力がかかる部位が変化することになる。したがって、従来の生体信号検出装置では、姿勢変更式の寝具において、圧力変動検出センサにて圧力の変動を的確に検出できず、生体信号を精度良く抽出できないことがある。
【０００６】
本発明は、かかる点に着目してなされたものであり、その目的は、姿勢変更式の寝具において、生体信号を精度良く抽出することができる生体信号検出装置を提供する点にある。
【課題を解決するための手段】
【０００７】
この目的を達成するために、本発明に係る生体信号検出装置の特徴構成は、寝具での検出対象人体の生体状態に対応する生体信号を検出する生体信号検出装置において、前記寝具は、検出対象人体を支持する姿勢を変更自在な姿勢変更式であり、前記寝具における複数の検出対象部位の夫々に設置してその検出対象部位にかかる圧力の変動を検出する圧力変動検出センサと、前記寝具の姿勢状態に応じて前記検出対象部位単位での重み付けをした前記圧力変動検出センサの検出信号から前記生体信号を抽出する生体信号抽出部とを備えている点にある。
【０００８】
すなわち、寝具における複数の検出対象部位の夫々に圧力変動検出センサを設置するので、寝具の姿勢状態の夫々において確実に圧力がかかる部位を検出対象部位に設定してその検出対象部位に圧力変動検出センサを設置することができる。そして、生体信号抽出部は、寝具の姿勢状態に応じて検出対象部位単位での重み付けをした圧力変動検出センサの検出信号から抽出するので、寝具の姿勢状態に応じて確実に圧力がかかる検出対象部位に設置している圧力変動検出センサの検出信号の重み付けを重くして、寝具の姿勢状態の夫々において圧力の変動を的確に検出しながら生体信号を抽出できる。
したがって、姿勢変更式の寝具において、生体信号を精度良く抽出することができる生体信号検出装置を提供できるに至った。
【０００９】
本発明に係る生体信号検出装置では、前記生体信号抽出部は、前記重み付けとして、前記生体信号の抽出対象とする前記圧力変動検出センサの検出信号を前記寝具の姿勢状態に応じて前記検出対象部位単位で切り換えるように構成してあると好適である。
【００１０】
すなわち、生体信号抽出部が、生体信号の抽出対象とする圧力変動検出センサの検出信号を寝具の姿勢状態に応じて検出対象部位単位で切り換えるだけで、圧力変動検出センサの検出信号に対して寝具の姿勢状態に応じた検出対象部位単位での重み付けを行うことができる。そして、生体信号抽出部は、寝具の姿勢状態に応じて圧力がかかる検出対象部位に設置している圧力変動検出センサの検出信号だけから生体信号を抽出できることになる。したがって、構成の簡素化を図りながら、生体信号をより精度良く抽出することができる。
【００１１】
本発明に係る生体信号検出装置では、前記生体信号抽出部は、各圧力変動検出センサによる検出信号の大小を数値化した検出状態値に対して前記寝具の姿勢状態に応じて前記検出対象部位単位での重み付けをし、その重み付けをした前記検出状態値に基づいて前記生体信号の抽出を行うか否かを判別するように構成してあると好適である。
【００１２】
すなわち、検出状態値が大きい数値となるほど、圧力変動検出センサにて圧力の変動を的確に検出できていると判別することができるので、検出状態値の大小によって、圧力変動検出センサの検出信号から有効な生体信号を抽出できるか否かを判別できる。そして、生体信号抽出部は、各圧力変動検出センサにおける検出状態値に対して寝具の姿勢状態に応じて検出対象部位単位での重み付けをすることにより、寝具の姿勢状態に応じた検出状態値を得ることができる。したがって、生体信号抽出部は、寝具の姿勢状態に応じて検出対象部位単位での重み付けをした検出状態値に基づいて生体信号の抽出を行うか否かを判別することにより、有効な生体信号を抽出できるか否かの判別を寝具の姿勢状態に応じて行うことができる。
そして、生体信号抽出部は、生体信号の抽出を行うと判別したときに生体信号の抽出を行うことにより、有効な生体信号を精度良く抽出することができる。
【００１３】
本発明に係る生体信号検出装置では、前記寝具は、検出対象人体の臀部に相当する部分を支持する着座部位と検出対象人体の背中に相当する部分を支持する背もたれ部位とを備えてあり、前記検出対象部位は、少なくとも前記着座部位と背もたれ部位とを含むように設定してあると好適である。
【００１４】
すなわち、寝具の姿勢状態が寝ている検出対象人体を支持している姿勢状態であるときには、背もたれ部位に確実に圧力がかかることになる。この背もたれ部位を検出対象部位と設定することによって、寝ている検出対象人体を支持する姿勢状態における検出対象部位を的確に設定できる。また、寝具の姿勢状態が上半身を起こした検出対象人体を支持している姿勢状態であるときには、着座部位に確実に圧力がかかることになる。この着座部位を検出対象部位と設定することによって、上半身を起こした検出対象人体を支持する姿勢状態における検出対象部位を的確に設定できる。
このように、寝ている検出対象人体を支持する寝具の姿勢状態であっても、上半身を起こした検出対象人体を支持する寝具の姿勢状態であっても、圧力の変動を的確に検出することができ、生体信号を精度良く抽出することができる。
【発明を実施するための最良の形態】
【００１５】
本発明に係る生体信号検出装置の実施形態を図面に基づいて説明する。
〔第１実施形態〕
この生体信号検出装置は、図１及び図２に示すように、寝具としてのベッド１にかかる圧力の変動を検出する圧力変動検出センサ２と、その圧力変動検出センサ２の検出信号からベッド１における検出対象人体３の生体状態に対応する生体信号を検出する生体信号抽出部４とを備えている。
【００１６】
前記ベッド１は、検出対象人体３を載置するマット５、マット５を支持するパネル６、パネル６を支持するフレーム７から構成してある。前記パネル６は、頭部側から脚部側に向けて、第１パネル６ａ、第２パネル６ｂ、第３パネル６ｃ、第４パネル６ｄに分割してある。第２パネル６ｂはフレーム７に固定してあり、隣接するパネル６ａ〜６ｄ同士は互いに回動自在に連結してある。
前記ベッド１において、第１パネル６ａ及び第１パネル６ａ上に位置するマット５の一部にて検出対象人体３の背中に相当する背中相当部分３ａを支持し、且つ、第２パネル６ｂ及び第２パネル６ｂ上に位置するマット５の一部にて検出対象人体３の臀部に相当する臀部相当部分３ｂを支持している。このように、第１パネル６ａ及び第１パネル６ａ上に位置するマット５の一部が背もたれ部位Ｋ１となり、且つ、第２パネル６ｂ及び第２パネル６ｂ上に位置するマット５の一部が着座部位Ｋ２となっている。
【００１７】
前記ベッド１は、第１パネル６ａを第２パネル６ｂに対して揺動させることにより、図１（ｂ）に示すように寝ている検出対象人体３を支持するフラット姿勢や、図１（ｃ）に示すように上半身を起こした検出対象人体３を支持する傾斜姿勢に変更自在に構成している。また、第３パネル６ｃを第２パネル６ｂに対して上方側に揺動させることにより、図１（ｃ）に示すように膝を曲げた検出対象人体３を支持する姿勢にも変更自在に構成してある。
このように、ベッド１は、第１パネル６ａを第２パネル６ｂに対して揺動させる及び第３パネル６ｃを第２パネル６ｂに対して揺動させることにより、検出対象人体３を支持する姿勢を変更自在な姿勢変更式に構成してある。
【００１８】
前記第１パネル６ａ及び第３パネル６ｃを揺動させるための構成については、各種の構成を適応することができる。例えば、図示は省略するが、電動モータの駆動により第１パネル６ａを支持する部材及び第３パネル６ｃを支持する部材を移動させることにより、第１パネル６ａ及び第３パネル６ｃを揺動させることができる。そして、操作部の人為操作によりベッド１の姿勢状態を指令し、電動モータの駆動を制御する駆動装置が、その指令に基づいて電動モータの駆動を制御することにより、操作部の人為操作により指令された姿勢状態にベッド１の姿勢状態を変更することができる。
【００１９】
前記圧力変動検出センサ２は、例えば、ポリフッ化ビニリデン（ＰＶＤＦ）等の高分子圧電材料を用いた圧電フィルムにて構成してある。そして、圧力変動検出センサ２は、ベッド１における複数の検出対象部位Ｋの夫々に設置してその検出対象部位Ｋにかかる圧力の変動を検出するように構成してある。
そして、図１（ａ）に示すように、背もたれ部位Ｋ１と着座部位Ｋ２とを検出対象部位Ｋに設定している。
【００２０】
前記背もたれ部位Ｋ１は、検出対象人体３が寝ているときに確実に圧力がかかる部位である。この背もたれ部位Ｋ１に圧力変動検出センサ２を設定することにより、ベッド１の姿勢状態が寝ている検出対象人体３を支持する姿勢状態であるときに、検出対象人体３による圧力の変動を的確に検出できる。
前記着座部位Ｋ２は、検出対象人体３の上半身を起こしたときに確実に圧力がかかる部位である。この着座部位Ｋ２に圧力変動検出センサ２を設定することにより、ベッド１の姿勢状態が上半身を起こした検出対象人体３を支持する姿勢状態であるときに、検出対象人体３による圧力の変動を的確に検出できる。
【００２１】
前記ベッド１の姿勢状態を検出して、その検出した姿勢状態に応じた姿勢状態情報を生体信号抽出部４に出力する姿勢状態検出部１１を設けている。この姿勢状態検出部１１は、ベッド１の姿勢状態がフラット姿勢（図１（ｂ））であるか又は傾斜姿勢（図１（ｃ））であるかを検出するとともに、傾斜姿勢であれば水平方向に対してどれだけ傾斜しているかを検出して、その検出したベッド１の姿勢状態に応じた姿勢状態情報を出力するように構成してある。
ちなみに、姿勢状態検出部１１は、例えば、第１パネル６ａを揺動させるための電動モータの作動状態や、ベッド１の姿勢状態を指令する操作部による指令情報に基づいて、ベッド１の姿勢状態を検出するように構成してある。
【００２２】
前記生体信号抽出部４を備えた信号処理部８には、圧力変動検出センサ２による出力を電圧に変換する電圧変換部９と、その電圧変換部９にて出力されるアナログ信号をデジタル信号に変換するデジタル変換部１０とを備えている。そして、デジタル変換部１０にて変換した圧力変動センサ２による検出信号を生体信号抽出部４に入力するように構成してある。
【００２３】
前記生体信号抽出部４は、姿勢状態検出部１１から入力する姿勢状態情報に基づいて、ベッド１の姿勢状態に応じて検出対象部位Ｋ単位での重み付けをした圧力変動検出センサ２の検出信号から生体信号を抽出するように構成してある。そして、生体信号抽出部４は、前記重み付けとして、生体信号の抽出対象とする圧力変動検出センサ２の検出信号をベッド１の姿勢状態に応じて検出対象部位Ｋ単位で切り換えるように構成してある。
【００２４】
説明すると、生体信号抽出部４は、姿勢状態検出部１１から入力する姿勢状態情報に基づいて、ベッド１の姿勢状態が第１姿勢状態であるか又は第２姿勢状態であるかを判別して、生体信号の抽出対象とする圧力変動検出センサ２の検出信号を背もたれ部位Ｋ１とするか又は着座部位Ｋ２とするかを切り換えている。
前記第１姿勢状態は、フラット姿勢（図１（ｂ））であるか、又は、ベッド１が傾斜姿勢であってもその傾斜角度が水平方向に対して設定角度（例えば、６０度程度）未満のときである。前記第２姿勢状態は、傾斜姿勢であってその傾斜角度が水平方向に対して設定角度（例えば、６０度程度）以上のときである。
【００２５】
前記生体信号抽出部４は、姿勢状態検出部１１から入力する姿勢状態情報に基づいて、ベッド１の姿勢状態が第１姿勢状態であると判別すると、生体信号の抽出対象とする圧力変動検出センサ２の検出信号を背もたれ部位Ｋ１に切り換える。
そして、生体信号抽出部４は、背もたれ部位Ｋ１に設置している３つの圧力変動検出センサ２の検出信号から最も検出信号の大きい１つの圧力変動検出センサ２を選択し、その選択した１つの圧力変動検出センサ２の検出信号から生体信号を抽出する。ちなみに、生体信号抽出部４は、生体信号の抽出については、選択した１つの圧力変動検出センサ２の検出信号に限らず、背もたれ部位Ｋ１に設置している３つの圧力変動検出センサ２の検出信号の総和から生体信号を抽出することもできる。
【００２６】
図３は、ベッド１の姿勢状態が第１姿勢状態（フラット姿勢）であるときの圧力変動検出センサ２の検出信号を示している。図中（ａ）は、背もたれ部位Ｋ１に設置している圧力変動検出センサ２の検出信号であり、図中（ｂ）は、着座部位Ｋ２に設置している圧力変動検出センサ２の検出信号である。
この第１姿勢状態では、背もたれ部位Ｋ１に設置している圧力変動検出センサ２の検出信号（ａ）の方が着座部位Ｋ２に設置している圧力変動検出センサ２の検出信号（ｂ）よりも大きな振幅となっているので、背もたれ部位Ｋ１に設置している圧力変動検出センサ２により検出対象人体３による圧力の変動を的確に検出できることになる。したがって、上述の如く、生体信号抽出部４が、第１姿勢状態であると判別すると、背もたれ部位Ｋ１に設置している圧力変動検出センサ２の検出信号（ａ）から生体信号を抽出することにより、生体信号を精度良く抽出できることになる。
【００２７】
前記生体信号抽出部４は、姿勢状態検出部１１から入力する姿勢状態情報に基づいて、ベッド１の姿勢状態が第２姿勢状態であると判別すると、生体信号の抽出対象とする圧力変動検出センサ２の検出信号を着座部位Ｋ２に切り換える。
そして、生体信号抽出部４は、着座部位Ｋ２に設置している３つの圧力変動検出センサ２の検出信号から最も出力の大きい１つの圧力変動検出センサ２を選択し、その選択した１つの圧力変動検出センサ２の検出信号から生体信号を抽出する。ちなみに、生体信号抽出部４は、生体信号の抽出については、選択した１つの圧力変動検出センサ２の検出信号に限らず、着座部位Ｋ２に設置している３つの圧力変動検出センサ２の検出信号の総和から生体信号を抽出することもできる。
【００２８】
図４は、ベッド１の姿勢状態が第２姿勢状態（傾斜姿勢であってその傾斜角度が水平方向に対して設定角度（例えば、６０度）であるとき）であるときの圧力変動検出センサ２の検出信号を示している。図中（ａ）は、背もたれ部位Ｋ１に設置している圧力変動検出センサ２の検出信号であり、図中（ｂ）は、着座部位Ｋ２に設置している圧力変動検出センサ２の検出信号である。
この第２姿勢状態では、着座部位Ｋ２に設置している圧力変動検出センサ２の検出信号（ｂ）の方が背もたれ部位Ｋ１に設置している圧力変動検出センサ２の検出信号（ａ）よりも大きな振幅となっているので、着座部位Ｋ２に設置している圧力変動検出センサ２により検出対象人体３による圧力の変動を的確に検出できることになる。したがって、上述の如く、生体信号抽出部４が、第２姿勢状態であると判別すると、着座部位Ｋ２に設置している圧力変動検出センサ２の検出信号（ｂ）から生体信号を抽出することにより、生体信号を精度良く抽出できることになる。
【００２９】
前記生体信号の抽出について説明すると、生体信号抽出部４は、生体信号としての脈拍信号や呼吸信号を圧力変動検出センサ２の検出信号から抽出するように構成してある。脈拍信号の抽出については、生体信号抽出部４が、特定の周波数帯域の信号を通過させる帯域通過フィルタ（ＢＰＦ：Ｂａｎｄ  Ｐａｓｓ  Ｆｉｌｔｅｒ）や低域通過フィルタ（ＬＰＦ：Ｌｏｗ  Ｐａｓｓ  Ｆｉｌｔｅｒ）を用いて、圧力変動検出センサ２の検出信号のうち脈拍信号特有の周波数帯域（例えば、４〜７Ｈｚ）の信号を通過させて脈拍信号を抽出する。呼吸信号の抽出については、生体信号抽出部４が、帯域通過フィルタを用いて、圧力変動検出センサ２の検出信号のうち呼吸号特有の周波数帯域の信号を通過させて呼吸信号を抽出する。
ちなみに、生体信号としては、脈拍信号や呼吸信号に限らず、検出対象人体３の生体状態に関する信号であればよく、例えば、体動信号等その他各種の信号を抽出することもできる。
【００３０】
〔第２実施形態〕
この第２実施形態は、上記第１実施形態における重み付けの別実施形態であり、生体信号抽出部４が、圧力変動検出センサ２の検出信号に対してベッド１の姿勢状態に応じて検出対象部位Ｋ単位での重み付けを行い、その重み付けをした圧力変動検出センサ２の検出信号から生体信号を抽出するように構成してある。
【００３１】
前記生体信号抽出部４は、姿勢状態検出部１１から入力する姿勢状態情報に基づいて、ベッド１の姿勢状態が第１姿勢状態であるか又は第２姿勢状態であるかを判別し、その判別結果に応じて背もたれ部位Ｋ１と着座部位Ｋ２に対して第１重み付け値Ｎ１及び第２重み付け値Ｎ２（＝１０−Ｎ１、Ｎ２＜Ｎ１）を割り当てる。そして、生体信号抽出部４は、背もたれ部位Ｋ１に設置している圧力変動検出センサ２の検出信号と着座部位Ｋ２に設置している圧力変動検出センサ２の検出信号とを第１重み付け値Ｎ１と第２重み付け値Ｎ２との割合に応じて加算して、その加算した圧力変動検出センサ２の検出信号から生体信号を抽出する。
【００３２】
説明すると、生体信号抽出部４は、ベッド１の姿勢状態が第１姿勢状態であると判別すると、背もたれ部位Ｋ１に対して第１重み付け値Ｎ１（例えば、７）を割り当て、且つ、着座部位Ｋ２に対して第２重み付け値Ｎ２（例えば、３）を割り当てる。このように、ベッド１の姿勢状態が第１姿勢状態であると、その第１姿勢状態において確実に圧力がかかる背もたれ部位Ｋ１の重み付けが重くなるようにしている。そして、生体信号抽出部４は、背もたれ部位Ｋ１に設置している圧力変動検出センサ２の検出信号と着座部位Ｋ２に設置している圧力変動検出センサ２の検出信号とを第１重み付け値Ｎ１と第２重み付け値Ｎ２との割合（７：３）に応じて加算する。例えば、背もたれ部位Ｋ１に設置している圧力変動検出センサ２の検出信号において振幅をＮ１倍したものと着座部位Ｋ２に設置している圧力変動検出センサ２の検出信号において振幅をＮ２倍したものとを加算する。前記生体信号抽出部４は、加算した圧力変動検出センサ２の検出信号から生体信号を抽出する。
また、生体信号抽出部４は、ベッド１の姿勢状態が第２姿勢状態であると判別すると、着座部位Ｋ２に対して第１重み付け値Ｎ１（例えば、７）を割り当て、且つ、背もたれ部位Ｋ１に対して第２重み付け値Ｎ２（例えば、３）を割り当てる。このように、ベッド１の姿勢状態が第２姿勢状態であると、その第２姿勢状態において確実に圧力がかかる着座部位Ｋ２の重み付けが重くなるようにしている。
【００３３】
〔第３実施形態〕
この第３実施形態では、生体信号抽出部４は、各圧力変動検出センサ２による検出信号の大小を数値化した検出状態値に対してベッド１の姿勢状態に応じて検出対象部位Ｋ単位での重み付けをし、その重み付けをした検出状態値に基づいて生体信号の抽出を行うか否かを判別するように構成してある。
【００３４】
前記生体信号抽出部４は、例えば、最大値を１０として、圧力変動検出センサ２の検出信号の大小に応じて１〜１０のいずれかの数値を検出状態値と設定している。
そして、検出状態値が大きい数値であるほど、圧力変動検出センサ２にて圧力の変動を的確に検出できていると判別できるので、検出状態値の大小によって、圧力変動検出センサ２の検出信号から有効な生体信号を抽出できるか否かを判別できる。したがって、生体信号抽出部４は、各圧力変動検出センサ２における検出状態値を合計し、その合計値と閾値とを比較することにより、圧力変動検出センサ２の検出信号から有効な生体信号を抽出できるか否かを判別できる。そこで、生体信号抽出部４は、各圧力変動検出センサ２における検出状態値の合計値が閾値以上であると、圧力変動検出センサ２の検出信号から有効な生体信号を抽出できるとして生体信号の抽出を行う。また、生体信号抽出部４は、各圧力変動検出センサ２における検出状態値の合計値が閾値未満であると、圧力変動検出センサ２の検出信号から有効な生体信号を抽出できないとして、生体信号の抽出を行わない。
【００３５】
そして、生体信号抽出部４は、各圧力変動検出センサ２における検出状態値を単純に用いるのではなく、各圧力変動検出センサ２による検出状態値に対してベッド１の姿勢状態に応じて検出対象部位Ｋ単位での重み付けをし、その重み付けをした検出状態値から求めた合計値に基づいて生体信号の抽出を行うか否かを判別する。したがって、有効な生体信号を抽出できるか否かの判別をベッド１の姿勢状態に応じて行うことができる。
【００３６】
説明すると、生体信号抽出部４は、姿勢状態検出部１１から入力する姿勢状態情報に基づいて、ベッド１の姿勢状態が第１姿勢状態であるか又は第２姿勢状態であるかを判別し、その判別結果に応じて背もたれ部位Ｋ１と着座部位Ｋ２に対して第１重み付け値Ｎ１及び第２重み付け値Ｎ２（＝１０−Ｎ１、Ｎ２＜Ｎ１）を割り当てる。そして、生体信号抽出部４は、各圧力変動検出センサ２における検出状態値を割り当てた第１重み付け値Ｎ１と第２重み付け値Ｎ２との割合に応じて合計し、その合計値が閾値以上であると生体信号の抽出を行うと判別し、その合計値が閾値未満であると生体信号の抽出を行わないと判別する。
【００３７】
例えば、生体信号抽出部４は、ベッド１の姿勢状態が第１姿勢状態であると判別すると、背もたれ部位Ｋ１に対して第１重み付け値Ｎ１（例えば、７）を割り当て、且つ、着座部位Ｋ２に対して第２重み付け値Ｎ２（例えば、３）を割り当てる。このように、ベッド１の姿勢状態が第１姿勢状態であると、その第１姿勢状態において確実に圧力がかかる背もたれ部位Ｋ１の重み付けが重くなるようにしている。そして、生体信号抽出部４は、背もたれ部位Ｋ１に設置している圧力変動検出センサ２における検出状態値と着座部位Ｋ２に設置している圧力変動検出センサ２における検出状態値とを第１重み付け値Ｎ１と第２重み付け値Ｎ２との割合（７：３）に応じて合計する。例えば、背もたれ部位Ｋ１に設置している各圧力変動検出センサ２における検出状態値をＮ１倍したものと着座部位Ｋ２に設置している各圧力変動検出センサ２における検出状態値をＮ２倍したものとを合計する。前記生体信号抽出部４は、その合計値が閾値以上であると生体信号の抽出を行うと判別し、その合計値が閾値未満であると生体信号の抽出を行わないと判別する。
また、生体信号抽出部４は、ベッド１の姿勢状態が第２姿勢状態であると判別すると、着座部位Ｋ２に対して第１重み付け値Ｎ１（例えば、７）を割り当て、且つ、背もたれ部位Ｋ１に対して第２重み付け値Ｎ２（例えば、３）を割り当てる。このように、ベッド１の姿勢状態が第２姿勢状態であると、その第２姿勢状態において確実に圧力がかかる着座部位Ｋ１の重み付けが重くなるようにしている。
【００３８】
ちなみに、この第３実施形態では、生体信号の抽出を行うか否かを判別するために、重み付けをした検出状態値の合計値を求めてその合計値と閾値とを比較しているが、どのような演算により求めた値と閾値とを比較するかは適宜変更が可能である。
【００３９】
〔別実施形態〕
（１）上記第１〜第３実施形態では、背もたれ部位Ｋ１と着座部位Ｋ２とを検出対象部位Ｋと設定しているが、検出対象部位Ｋをベッド１のどのような部位に設定するかは適宜変更が可能である。例えば、検出対象人体３の腰部に相当する部分を支持する部位を検出対象部位Ｋと設定することもできる。
【００４０】
（２）上記第１〜第３実施形態では、背もたれ部位Ｋ１と着座部位Ｋ２の２つの部位を検出対象部位Ｋとしているが、ベッド１において設定する検出対象部位Ｋの数は適宜変更が可能である。例えば、背もたれ部位Ｋ１と着座部位Ｋ２に加え、検出対象人体３の腰部に相当する部分を支持する部位の３つの部位を検出対象部位Ｋと設定することもできる。
【００４１】
（３）上記第２実施形態において、第１重み付け値Ｎ１及び第２重み付け値Ｎ１を変更設定してもよい。この場合、例えば、生体信号抽出部４が、検出対象部位Ｋ単位での圧力変動検出センサ２の検出信号における振幅の大小関係に基づいて、第１重み付け値Ｎ１及び第２重み付け値Ｎ１を変更設定することができる。
【００４２】
（４）上記第１〜第３実施形態では、寝具としてベッド１を例示したが、ベッドに限らず、その他各種の寝具を適応することができる。
【図面の簡単な説明】
【００４３】
【図１】ベッドの平面図及び側面図
【図２】生体信号検出装置のブロック図
【図３】第１姿勢状態における圧力変動検出センサの検出信号を示すグラフ
【図４】第２姿勢状態における圧力変動検出センサの検出信号を示すグラフ
【符号の説明】
【００４４】
１          寝具（ベッド）
２          圧力変動検出センサ
３          検出対象人体
４          生体信号抽出部
Ｋ          検出対象部位
Ｋ１        背もたれ部位
Ｋ２        着座部位
【図１】
2008113797.tif 000003
【図２】
2008113797.tif 000004
【図３】
2008113797.tif 000005
【図４】
2008113797.tif 000006